(57)【特許請求の範囲】
【請求項１】
表示部及び操作部を有し、受信回路を内蔵する装置本体と、
人工衛星から発信されるＧＰＳ用電波を受信する棒状アンテナが内部に固定されており、軸方向を回動軸として回動自在に前記装置本体に取り付けられ、かつ、任意の回転角位置で静止するようになされた円筒部と
を有し、前記円筒部は前記棒状アンテナのアンテナ受信面方向識別用の印が外部に形成されており、前記表示部の位置に関係なく手動により任意の角度位置に回動可能な構成とされていることを特徴とする携帯端末。
【請求項２】
表示部及び操作部を回転ヒンジで結合し、該表示部と操作部とが向かい合わせになるように折り畳める構造の携帯端末において、
人工衛星から発信されるＧＰＳ用電波を受信する棒状アンテナが内部に固定されており、軸方向を回動軸として一端又は両端が前記回転ヒンジと嵌合して回動自在に取り付けられ、かつ、任意の回転角位置で静止するようになされた円筒部を有し、
前記円筒部は前記棒状アンテナのアンテナ受信面方向識別用の印が外部に形成されており、手動により任意の角度位置に回動可能な構成とされていることを特徴とする携帯端末。
【請求項３】
前記円筒部が、予め設定した角度範囲内でのみ回動するように、回転ストッパが設けられていることを特徴とする請求項１又は２記載の携帯端末。
【発明の詳細な説明】
【０００１】
【発明の属する技術分野】
本発明は携帯端末に係り、特に人工衛星から発信されるＧＰＳ用電波を受信するアンテナ及び受信回路を内蔵した携帯端末に関する。
【０００２】
【従来の技術】
人工衛星から発信される電波を受信するＧＰＳ（Ｇｌｏｂａｌ  Ｐｏｓｉｔｉｏｎｉｎｇ  Ｓｙｓｔｅｍ：全地球測位システム）アンテナを内蔵、又は結合させる位置検出機能を有し、検出した位置情報を表示部に表示させる携帯端末が、従来より知られている（特開２０００−１９３７３４公報）。
【０００３】
この従来の携帯端末は、端末装置と嵌合して電気的に接続可能に形成された端末連結手段と、その端末連結手段に対して回動可能に接続すると共に、人工衛星から発信されるＧＰＳ用の電波を受信するアンテナデバイスをその内部に収納し、携帯端末の蓋形状に形成されてなる電波受信手段とを備えている。この従来の携帯端末によれば、アンテナデバイスが蓋形状の電波受信手段の内部に収納されているため、持ち運びに便利であるという特長がある。
【０００４】
【発明が解決しようとする課題】
しかるに、上記の従来の携帯端末では、アンテナデバイスが蓋形状の電波受信手段の内部に固定されているため、電波受信時には、良好な受信を行うためにアンテナ受信面を鉛直方向に向ける必要がある。しかし、検出した位置情報等を表示する表示部も同時に鉛直方向を向くため見づらく、更に屋外のため太陽光が直接当たり見づらくなる。また、見るために表示部正面に顔を持ってくると、人体が電波受信の障害になる問題がある。
【０００５】
本発明は以上の点に鑑みなされたもので、受信アンテナを内蔵した円筒部を回動可能とすることにより、装置を表示部が見やすい角度に傾けても円筒部を回動させて受信状態が最良となる鉛直方向にアンテナ受信面を向けることが可能な携帯端末を提供することを目的とする。
【０００６】
【課題を解決するための手段】
本発明は上記の目的を達成するため、表示部及び操作部を有し、受信回路を内蔵する装置本体と、人工衛星から発信されるＧＰＳ用電波を受信する棒状アンテナが内部に固定されており、軸方向を回動軸として回動自在に装置本体に取り付けられ、かつ、任意の回転角位置で静止するようになされた円筒部とを有し、円筒部は棒状アンテナのアンテナ受信面方向識別用の印が外部に形成されており、表示部の位置に関係なく手動により任意の角度位置に回動可能な構成とされていることを特徴とする。
【０００７】
また、本発明は上記の目的を達成するため、表示部及び操作部を回転ヒンジで結合し、表示部と操作部とが向かい合わせになるように折り畳める構造の携帯端末において、人工衛星から発信されるＧＰＳ用電波を受信する棒状アンテナが内部に固定されており、軸方向を回動軸として一端又は両端が回転ヒンジと嵌合して回動自在に取り付けられ、かつ、任意の回転角位置で静止するようになされた円筒部を有し、円筒部は棒状アンテナのアンテナ受信面方向識別用の印が外部に形成されており、手動により任意の角度位置に回動可能な構成とされていることを特徴とする。
【０００８】
上記の各発明では、円筒部と共に内部のＧＰＳ用電波受信用アンテナも回動するが、その回動角位置を、円筒部の外部に形成されたアンテナ受信面方向識別用の印に基づいて、アンテナ受信面を衛星からの電波利得が最良となる鉛直方向に向くように手動で調整することができる。
【０００９】
ここで、上記の円筒部が予め設定した角度範囲内でのみ回動するように、回転ストッパを設けることが、円筒部内部のアンテナから受信回路を結ぶ導線を必要以上に捩らないようにできる点で望ましい。
【００１３】
【発明の実施の形態】
次に、本発明の実施の形態について図面と共に説明する。図１は本発明になる携帯端末の第１の実施の形態の正面図を示す。同図において、第１の実施の形態の携帯端末１は、装置本体２の上部に、軸方向の片側又は両側が嵌合された円筒部３が回動可能に設けられている。円筒部３にはＧＰＳ電波受信用棒状アンテナが内蔵されており、その棒状アンテナのアンテナ受信面は、円筒部３の外部に印刷、刻印又はその他の手段により設けられた印４により、使用者が外部から分かるようになっている。
【００１４】
また、円筒部３は手動で回動自在とされ、任意の回転角位置で止るようになされているが、図示しないストッパにより、予め設定した回転角度範囲内でのみ回動可能とされている。これにより、円筒部３の内蔵ＧＰＳ電波受信用棒状アンテナと装置本体２の内部の受信回路とを結ぶ導線が必要以上に捩れないようにできる。また、装置本体２には、各種の表示を行うための表示部５と、各種の入力を行うための操作ボタン６とが設けられている。
【００１５】
次に、この携帯端末１の動作について説明する。円筒部３の内蔵ＧＰＳ電波受信用棒状アンテナで受信されたＧＰＳ電波は、電気信号に変換されて円筒部３内に軸方向に設けられた導線を介して装置本体２の内部の受信回路に供給されて処理される。
【００１６】
ここで、装置本体２が傾いた場合、ＧＰＳ電波受信用棒状アンテナが固定されていると、アンテナ受信面がＧＰＳ衛星方向を向かない場合があり、その場合はアンテナ利得が低くなり、位置検出精度が低下してしまう。これに対し、この実施の形態の携帯端末１では、装置本体２が傾いても、使用者が印４をＧＰＳ衛星方向に向けるように円筒部３を手動で回動することにより、表示部５の向きとは独立してＧＰＳ電波受信用棒状アンテナのアンテナ受信面だけをＧＰＳ衛星からの電波利得が最良となる鉛直方向に向くようにできるため、表示部５の表示の見易さを確保した状態で良好なＧＰＳ衛星電波の受信ができ、従来に比べて位置検出精度を向上することができる。
【００１７】
次に、本発明の第２の実施の形態について説明する。図２（Ａ）及び（Ｂ）は本発明になる携帯端末の第２の実施の形態の正面図及び側面図を示す。第２の実施の形態の携帯端末８は、図２（Ａ）及び（Ｂ）に示すように、各種の入力操作を行うための操作ボタン９が設けられている操作部１０と、液晶表示素子による表示画面を有する表示部１１とが、回転ヒンジ１２で結合され、操作部１０と表示部１１とが向かい合わせになるように折り畳める構造の携帯端末である。
【００１８】
この携帯端末８では、回転ヒンジ１２の円筒部１３内に、ＧＰＳ電波受信用棒状アンテナが内蔵されており、円筒部１３はその軸方向の端部の一方、又は両方が回転ヒンジ１２に対して軸方向を回動軸として回動自在に取り付けられている。また、内蔵のＧＰＳ電波受信用棒状アンテナのアンテナ受信面は、円筒部１３の外部に印刷、刻印又はその他の手段により設けられた印１４により、使用者が外部から分かるようになっている。
【００１９】
また、円筒部１３はＧＰＳ電波受信用棒状アンテナと共に手動で回動自在とされ、任意の回転角位置で止るようになされているが、図示しないストッパにより、予め設定した回転角度範囲内でのみ回動可能とされている。これにより、円筒部１３の内蔵ＧＰＳ電波受信用棒状アンテナと例えば操作部１０の内部の受信回路とを結ぶ導線が必要以上に捩れないようにできる。
【００２０】
次に、この携帯端末８の動作について説明する。円筒部１３の内蔵ＧＰＳ電波受信用棒状アンテナで受信されたＧＰＳ電波は、電気信号に変換されて円筒部１３内に軸方向に設けられた導線を介して操作部１０の内部の受信回路に供給されて処理される。
【００２１】
ここで、携帯端末が傾いた場合、ＧＰＳ電波受信用棒状アンテナが固定されていると、アンテナ受信面がＧＰＳ衛星方向を向かない場合があり、その場合はアンテナ利得が低くなり、位置検出精度が低下してしまう。これに対し、この実施の形態の携帯端末８では、携帯端末８が傾いても、使用者が印１４をＧＰＳ衛星方向に向けるように円筒部１３を手動で回動することにより、表示部１１の向きとは独立してＧＰＳ電波受信用棒状アンテナのアンテナ受信面だけをＧＰＳ衛星からの電波利得が最良となる鉛直方向に向くようにできるため、第１の実施の形態と同様に、表示部１１の表示の見易さを確保した状態で良好なＧＰＳ衛星電波の受信ができ、従来に比べて位置検出精度を向上することができる。
【００２２】
次に、本発明の第３の実施の形態について説明する。上記の第１及び第２の実施の形態では、円筒部３（１３）は、図３（Ａ）の正面図、及び同図（Ｂ）の縦断側面図に示すように、内部にＧＰＳ電波受信用棒状アンテナ１６を設け、円筒部３（１３）を軸方向を回動軸として設定角度範囲内で手動で回動できるようにされている。
【００２３】
これに対し、この第３の実施の形態の携帯端末では、上記の円筒部３又は１３として使用する円筒部を、図４（Ａ）の正面図、及び同図（Ｂ）の縦断側面図に１８で示すように、内部にＧＰＳ電波受信用棒状アンテナ１９を、円筒部１８の回転と一体的に回転するように固定すると共に、ＧＰＳ電波受信用棒状アンテナ１９のアンテナ面と反対側の円筒部１８内の位置に、重り（重量部品）２０を固定した構造としたものである。
【００２４】
この円筒部１８は軸方向を回動軸として自由回転自在に装置本体に取り付けられるため、装置本体が傾いても、ＧＰＳ電波受信用棒状アンテナ１９のアンテナ面は、重り２０の重力によって自動的に鉛直方向に向くように回転する。これにより、表示部の向きとは独立してＧＰＳ電波受信用棒状アンテナ１９のアンテナ受信面だけをＧＰＳ衛星からの電波利得が最良となる鉛直方向に向くようにできるため、第１及び第２の実施の形態と同様に、表示部の表示の見易さを確保した状態で良好なＧＰＳ衛星電波の受信ができ、従来に比べて位置検出精度を向上することができる。
【００２５】
【発明の効果】
以上説明したように、本発明によれば、円筒部内部のＧＰＳ用電波受信用アンテナの回動角位置を、円筒部の外部に形成されたアンテナ受信面方向識別用の印に基づいて、アンテナ受信面を衛星からの電波利得が最良となる鉛直方向に向くように手動で調整できるようにしたため、表示部の表示の見易さを確保した状態で良好な衛星電波の受信ができ、従来に比べて位置検出精度を向上することができる。
【図面の簡単な説明】
【図１】本発明の第１の実施の形態の正面図である。
【図２】本発明の第２の実施の形態の正面図と側面図である。
【図３】図１及び図２の円筒部の正面図と縦断側面図である。
【図４】本発明の第３の実施の形態の円筒部の正面図と縦断側面図である。
【符号の説明】
１、８  携帯端末
２  装置本体
３、１３、１８  円筒部
４、１４  印
５、１１  表示部
６、９  操作ボタン
１０  操作部
１２  回転ヒンジ
１６、１９  ＧＰＳ電波受信用棒状アンテナ
２０  重り（重量部品）
【図１】
0003580245.tif 000002
【図２】
0003580245.tif 000003
【図３】
0003580245.tif 000004
【図４】
0003580245.tif 000005